(57)【要約】    【課題】  収納効率と使い勝手の向上を図った冷蔵庫を提供する。    【解決手段】  最上部に配置され回転扉６によって開閉される冷蔵室２と、冷蔵室２よりも下側に設けられ引出扉７、９、１０によって開閉される野菜室３及び冷凍室４と、各貯蔵室２、３、４を冷却するために庫内に設けられる冷却器２０とともに冷凍サイクルを構成する圧縮機１７とを備えた冷蔵庫において、  冷蔵庫本体１の高さ寸法を１５６センチより大きい寸法とし、圧縮機１７を冷蔵庫本体１の後部上方に設置して野菜室３の収納底面積の拡大し、野菜３の引出扉７の高さを９３センチ以下に抑えた。【選択図】  図１
2006046905.tif 000002
【特許請求の範囲】
【請求項１】
最上部に配置され回転扉によって開閉される冷蔵室と、前記冷蔵室よりも下側に設けられ引出扉によって開閉される冷凍室及び野菜室と、各貯蔵室を冷却するために庫内に設けられる冷却器とともに冷凍サイクルを構成する圧縮機とを備えた冷蔵庫において、
前記冷蔵庫本体の高さ寸法を１５６センチより大きい寸法とし、前記圧縮機を前記冷蔵庫本体の後部上方に設置して前記野菜室の収納底面積の拡大し、前記野菜引出扉の高さを９３センチ以下に抑えた冷蔵庫。
【発明の詳細な説明】
【技術分野】
【０００１】
本発明は、冷蔵庫における圧縮機などを収納する機械室の配設構成方法に関する。
【背景技術】
【０００２】
図７は、従来例となる冷蔵庫本体１の断面図である。収納室は上から冷蔵室２、野菜室３、冷凍室４という構成から成り、冷蔵室２はヒンジ機構５で保持される冷蔵回転扉６を有し、野菜室３は野菜引出扉７、冷凍室４は上段冷凍引出扉９と下段冷凍引出扉１０を有する収納形態として構成されている。冷凍室４の収納形態を構成する方法は、図７に示すような上段冷凍引出扉９と下段冷凍引出扉１０の２枚で構成する方法と、図８に示すような冷凍引出扉８として１枚で構成する方法が採用されている。
【０００３】
冷蔵室２内は、冷蔵食品の収納部となる冷蔵回転扉６側の複数個のポケット１１と、冷蔵庫本体１側の複数個の棚１２が配設されている。この冷蔵室２に収納される飲料や調味料、総菜などの冷蔵食品および冷蔵食材は、大きさや量、形状、使い勝手などの点から各々の収納部に分類収納されている。野菜室３内は、野菜引出扉７によって引き出される下段野菜容器１３とその上部に設置された上段野菜容器１４から成り、収納される野菜や果物の大きさや量、形状、使い勝手などの点から各々の収納容器に分類収納されている。
【０００４】
図７に示す冷凍室４内は、上段冷凍引出扉９によって引き出される上段冷凍容器１６と、その下部に設置された下段冷凍引出扉１０によって引き出される下段冷凍容器１５から成り、収納される冷凍食品や冷凍食材の大きさや量、形状、使い勝手などの点から各々の収納容器に分類収納されている。また、図８に示す冷凍室４内は、冷凍引出扉８によって引き出される下段冷凍容器１５と、その上部に形成された上段冷凍容器１６から成り、収納される冷凍食品および冷凍食材の大きさや量、形状、使い勝手などの点から各々の収納容器に分類収納されている。
【０００５】
上記の各貯蔵室の構成において、圧縮機１７などが設置された機械室１８を、図７あるいは図８に示すように冷凍室４の背面下部に設置し、冷却器２０は、冷凍室４あるいは野菜室３の背面に冷蔵庫本体１を形成する断熱材の一部を介して機械室１８の上部に配設する構成か、あるいは、図９および図１０に示すように冷却器２０を冷凍室４背面と機械室１８の間に冷蔵庫本体１を形成する断熱材の一部を介して構成する方法がとられている。
【０００６】
冷蔵庫内を冷却する冷凍サイクルは、図７および図８に示す圧縮機１７と冷却器２０を上下に配置した冷蔵庫本体１の断面図で説明すると、冷蔵庫本体１の背面最下部の機械室１８内に設置された圧縮機１７と冷凍室４背面に設置された冷却器２０によって構成され、冷却器２０の上部に設けられたファン駆動用モーター２１によって強制通風用ファン２２を回転させ、庫内空気を循環させると共に冷却器２０での熱交換を促進させ、冷却された冷気を冷気風路２３を通して冷蔵庫本体１内に循環させている。
【０００７】
冷却器２０の下側には、除霜用の管ヒーター２５が配置され、更に、その下部には除霜水用樋２６が配置されている。冷蔵庫本体１内に設けられた各貯蔵室の温度は、冷気風路２３の一部に設置された冷気量調節用ダンパー２４の開閉動作によって、各貯蔵室の温度を所定の温度に保持する制御がなされている。
【発明の開示】
【発明が解決しようとする課題】
【０００８】
図７あるいは図８に示す従来例となる冷蔵庫の各貯蔵室構成と、冷凍サイクルを形成する機械室１８と冷却器２０の位置関係を観察すると、冷凍室４の背面下部に機械室１８を設置し、冷凍室４と野菜室３の背面後部にまたがり、冷却器２０を設置したことで両貯蔵室の奥行きが浅く収納容器を設ける形態としては複雑になり、且つ、両貯蔵室の収納容量を増加させようとすると、必然的に上部に配置された冷蔵室２と野菜室３との間の区画壁位置が高くなると共に、野菜室３の野菜引出扉７の位置を高めることになる。この状況は、図９および図１０に示す冷却器２０を、機械室１８と冷凍室４の間に配設置した場合も同様である。
【０００９】
更に、温度が高くなる機械室１８に隣接して貯蔵室の中では一番温度が低い冷凍室４が設けられていることによって、両者を熱的に遮断するに必要な断熱材の厚さを確保せねばならないことと、冷凍室４の奥行きが浅くなったことによって、上段冷凍容器１６と下段冷凍容器１５の合計容量を必要容量として確保するためには、両冷凍容器の合計深さ寸法を増加させる必要があり、上段冷凍容器１６と下段冷凍容器１５の両冷凍容器深さが増し、収納物の出し入れがしにくい容器形態となって使い勝手を阻害し、機械室１８と冷却器２０の間に設けられた本体を形成する断熱材の一部が庫内側に出っ張る形態となる。
【００１０】
更に、上段冷凍容器１６と下段冷凍容器１５で構成する両冷凍容器の深さを効率良く分割できなくなり、収納性と使い勝手の点で制約を受ける。冷凍室４においては、家庭での冷凍食品が増加する傾向にあり、冷凍室４の大容量化が望まれている現在、市場の流れからも拡大する基調に有り、対応が更に難しくなりつつある。
【００１１】
野菜室３においては、冷凍室４と同様に背面後部に冷却器２０が設置されていることに伴い、奥行きが浅くなり、必要容量を確保するためには深さ寸法を増加させる必要があり、上段野菜容器１４と下段野菜容器１３との合計容器深さが増して、収納物の出し入れがしにくい容器形態となって使い勝手を阻害し、下部に設けられた冷凍室４の収納部高さが上昇したことに加えて、冷蔵室２と野菜室３とを区画する区画壁位置が一段と高くなり、同時に野菜室３の野菜引出扉７の位置を高めることになり、厚生省の調べによる日本人成人女性の平均身長の約１５６センチを基に算定した野菜引出扉７の高さ上限値である９３センチを超えてしまい、出し入れがしにくい高さとなって使い勝手を阻害する。
【００１２】
更に、野菜室３においては、健康・栄養志向と相まって、家庭での青果物が増加する傾向にあり、野菜室３の大容量化が望まれている現在、市場の流れからも拡大する基調に有り、対応が一段と難しくなりつつある。また、冷蔵室２においては、図７および図８、図９および図１０に示すように、背面下部に設けられた冷却器２０から強制通風用ファン２２によって吐出される冷気量を制御する冷気量調節用ダンパー２４が冷気風路２３の一部に設置されており、冷蔵室２の背面下部と野菜室３の背面上部にまたがり形成されている。これに伴い、冷蔵室２においては、本体側の棚１２の最下段収納部の奥に凸部を生じ、最下段の棚１２下の奥行きが浅くなって収納性を阻害している。
【００１３】
また、冷凍室４の下段冷凍引出扉１０、上段冷凍引出扉９および野菜室３の野菜引出扉７の高さ寸法が増加したことに伴い、冷蔵室２の冷蔵回転扉６自体の高さ寸法が減少し、冷蔵回転扉６側のポケット１１に収納したい食品の収納量を減少させざるを得ない状況となってしまう。ビン、缶、紙パック、ペットボトルなどの飲料容器サイズと種類の多様化に加え、調味料も容器サイズや種類が多様化している昨今、冷蔵室２の冷蔵回転扉６側に収納する食品の増加への対処と逆行することになっている。冷蔵室２の本体側の棚１２の収納部においては、最上段の棚１２奥に収納された食品には手が届きにくく、使い勝手の更なる改善が求められている。
【００１４】
課題を要約すると、冷凍室４の必要容量と野菜室３の必要容量を確保した上で冷蔵室２の冷蔵回転扉６側のポケット１１の収納容量を確保し、更に、野菜室３の野菜引出扉７の高さを使い勝手を阻害しない床面からの高さ上限値である９３センチ以下に抑えることである。
【００１５】
図７および図８、図９および図１０に示す従来例となる冷蔵庫の各貯蔵室構成と、冷凍サイクルを形成する機械室１８と冷却器２０の配置を、各貯蔵室の必要容量と区画壁による分割位置との関係から見直し、収納効率が高く、且つ使い勝手の良い貯蔵形態を構築することである。
【００１６】
本発明は上記課題に鑑みてなされたものであり、収納効率と使い勝手の向上を図った冷蔵庫を提供することを目的としている。
【課題を解決するための手段】
【００１７】
上記目的を達成するために、最上部に配置され回転扉によって開閉される冷蔵室と、前記冷蔵室よりも下側に設けられ引出扉によって開閉される冷凍室及び野菜室と、各貯蔵室を冷却するために庫内に設けられる冷却器とともに冷凍サイクルを構成する圧縮機とを備えた冷蔵庫において、本発明では、
前記冷蔵庫本体の高さ寸法を１５６センチより大きい寸法とし、前記圧縮機を前記冷蔵庫本体の後部上方に設置して前記野菜室の収納底面積の拡大し、前記野菜引出扉の高さを９３センチ以下に抑えた。
【発明の効果】
【００１８】
本発明によれば、収納効率と使い勝手の向上を図った冷蔵庫を提供することができる。
【発明を実施するための最良の形態】
【００１９】
最下段の貯蔵室として収納部を形成する冷凍室の開口部の高さ寸法と概ね同じくらいの高さの冷却ユニットを冷凍室の背面後部に設置し、機械室を形成する圧縮機などを、使い勝手の良くない冷蔵室の天井面若しくは、冷蔵庫本体の背面上部に設置させる。また、冷却器と組で使用される強制通風用ファン、ファン駆動用モーター、除霜用管ヒーターおよび除霜水用樋を、概ね冷却器の上下方向の投影面に大半が位置するように配置して、冷却ユニットとして構成しておく。
【００２０】
従って、機械室の体積分が冷蔵室と野菜室を区画する区画壁の下側から上側に移動したことになり、各貯蔵室の容積を一定とすると必然的に冷蔵室と野菜室の区画壁の位置が機械室の体積を冷蔵庫本体の底面積で除した商となる高さ分だけ下げた構成が可能となる。
【００２１】
また、冷凍室においては、背面後部の断熱材の位置を、冷蔵庫本体の背面を形成する断熱材と同一平面上として形成することが可能となり、冷凍室の開口部の高さ寸法と概ね同じくらいの冷却ユニットを冷凍室の背面後部に構成することによる相乗効果により、冷凍室内の内箱形状が単純な矩形となり、内部に形成される上段冷凍容器および下段冷凍容器の各容器深さも収納される食品や食材の大きさや量、形状、使い勝手などの要望に併せて設定することを可能とするものである。
【００２２】
更に、機械室を移設したことに伴い、熱の発生源となっていた圧縮機の影響も無くなり、室温に対する断熱性の確保をすることで対処できることになり、野菜室においては、冷却ユニットが、冷凍室の背面後部に移動させることによって、冷却ユニットの直上部の冷気風路を形成する部分に設置されていた冷気量調節用ダンパーの設置位置を冷蔵室と野菜室の背面後部にまたがる位置から野菜室の背面後部に下げることができ、冷気風路内スペースに形成できる構造に小形化することによって、冷蔵室最下段の背面後部に凸部として形成する必要が無くなり、冷気風路を確保するスペースのみの構成になって、冷却ユニットの構成に要した断熱材を含む断面積分から冷気風路の断面積分を差し引いた内箱底面積分が拡大されたことになる。
【００２３】
従って、拡大した分を含む底面積で野菜室を形成する所定の体積を除した商が野菜室の内箱高さとなり、野菜室の上段野菜容器と下段野菜容器の大容量化と収納底面積の拡大を可能とすると共に、野菜室の野菜引出扉の上面の高さを日本人成人女性の平均身長の約１５６センチを基に算定した野菜引出扉の高さ上限値である９３センチ以下に抑えた設定にすることが可能となる。
【００２４】
冷蔵室においては、機械室を形成する圧縮機などを使い勝手の良くない天井面、若しくは冷蔵庫本体の背面上部に設置した形態とする。従って、機械室の移動に伴い冷凍室および野菜室の高さが機械室の体積を冷蔵庫本体の断面積で除した商となる高さ分だけ低くなることから、冷蔵室の容積を一定とすると必然的に冷蔵室の内箱を形成する底面の高さが下がり、冷蔵室の収納部が全体的により使いやすい高さとして構成できることになる。
【００２５】
また、収納食品の出し入れがしにくかった冷蔵室の最上段の棚奥の領域も機械室として有効に活用できる形態にすることができる。更に、冷蔵室の本体側の棚の最下段奥に冷気量調節用ダンパーの設置部として形成されていた凸部も無くなることから、棚の奥まで有効に使用できる収納性の高い形態とすることが可能にすることができる。
【００２６】
冷蔵室の冷蔵回転扉側に設けられた複数個のポケットの収納領域も、冷蔵室と野菜室の区画壁を構成する仕切部が下がった分だけ下側に拡大できることになり、飲料や調味料などの増加に対処しきれなかったボトル類への収納対応も緩和されることになる。
【００２７】
以下、本発明による前述の手段を用いた実施例として、図１に冷凍室４の扉を上段冷凍引出扉９と下段冷凍引出扉１０の２枚で構成した実施例の断面図、図２には冷凍室４の扉を冷凍引出扉８の１枚で構成した実施例の断面図を用いて説明する。
【００２８】
収納室は、従来例と同様の上から冷蔵室２、野菜室３、冷凍室４という構成から成り、冷蔵室２はヒンジ機構５で保持される冷蔵回転扉６を有し、野菜室３は野菜引出扉７として構成されており、図１に示すような上段冷凍引出扉９と下段冷凍引出扉１０の２枚で構成する方法と、図２に示すような冷凍引出扉８の１枚で構成する方法を採用している。冷蔵室２内は、冷蔵食品の収納部となる冷蔵回転扉６側の複数個のポケット１１と、冷蔵庫本体１側の複数個の棚１２が配設されている。
【００２９】
この冷蔵室２に収納される飲料や調味料、総菜などの冷蔵食品および冷蔵食材は、大きさや量、形状、使い勝手などの点から各々の収納部に分類収納されている。野菜室３内は、野菜引出扉７によって引き出される下段野菜容器１３とその上部に設置された上段野菜容器１４から成り、収納される野菜や果物の大きさや量、形状、使い勝手などの点から各々の収納容器に分類収納されている。
【００３０】
図１に示す冷凍室４内は、上段冷凍引出扉９によって引き出される上段冷凍容器１６と、その下部に設置された下段冷凍引出扉９によって引き出される下段冷凍容器１５から成り、収納される冷凍食品や冷凍食材の大きさや量、形状、使い勝手などの点から各々の収納容器に分類収納されている。
【００３１】
また、図２に示す冷凍室４内は、冷凍引出扉８によって引き出される下段冷凍容器１５と、その上部に形成された上段冷凍容器１５から成り、収納される冷凍食品および冷凍食材の大きさや量、形状、使い勝手などの点から各々の収納容器に分類収納されている。
【００３２】
本発明の狙いは、冷凍室４の必要容量と野菜室３の必要容量を確保した上で冷蔵室２の冷蔵回転扉６側のポケット１１の収納必要容量を確保し、更に、冷蔵室２と野菜室３との間の区画壁の位置を下げ、野菜引出扉７の高さを使い勝手を阻害しない床面からの高さ上限値である９３センチ以下に抑えることであり、図７および図８、図９および図１０に示す従来例となる冷蔵庫の各貯蔵室構成と、冷凍サイクルを形成する機械室１８と冷却ユニット１９の配置を、各貯蔵室の必要容量と区画壁による分割位置との関係から見直し、収納効率が高く、且つ使い勝手の良い貯蔵形態の構築である。
【００３３】
前述の各収納室構成において、最下段の貯蔵室として収納部を形成する冷凍室４の開口部の高さ寸法と概ね同じくらいの高さの冷却ユニット１９を冷凍室４の背面後部に設置し、機械室１８を形成する圧縮機１７などを、使い勝手の良くない冷蔵室２の天井面若しくは、冷蔵庫本体１の後部上方に設置させている。従って、機械室１８の体積分が冷蔵室２と野菜室３を区画する区画壁の下側から上側に移動したことになり、各貯蔵室の容積を一定とすると必然的に冷蔵室２と野菜室３の区画壁の位置が機械室１８の体積を冷蔵庫本体１の底面積で除した商となる高さ分だけ下げた構成が可能となっている。
【００３４】
また、冷凍室４においては、背面後部の断熱材の位置を、冷蔵庫本体１の背面を形成する断熱材と同一平面上として形成することが可能となり、冷凍室４の開口部の高さ寸法と概ね同じくらいの冷却ユニット１９を冷凍室４の背面後部に構成することによる相乗効果により、冷凍室４内の内箱形状が単純な矩形となり、内部に形成される上段冷凍容器１６および下段冷凍容器１５の各容器深さも収納される食品や食材の大きさや量、形状、使い勝手などの要望に併せて設定することができるようになった。
【００３５】
更に、機械室１８を冷蔵室２の天井若しくは冷蔵庫本体１の後部上方に移設したことに伴い、熱の発生源となっていた圧縮機１７の影響も無くなり、室温に対する断熱性の確保をすることで対処できることになった。野菜室３においては、冷却ユニット１９を冷凍室４の背面後部に設置したことによって、冷蔵室２と野菜室３にまたがるように設置されていた冷気量調節用ダンパー２４を、冷気風路２３内のスペースに形成できる構造に小形化したことによって冷蔵室２最下段の背面後部に凸部を生じることが無くなり、冷気風路２３を確保するスペースのみの構成になり、冷却ユニット１９の構成に要した断熱材を含む断面積分から冷気風路２３の断面積分を差し引いた内箱底面積分が拡大されたことになっている。
【００３６】
従って、拡大した分を含む底面積で野菜室３を形成する所定の体積を除した商が野菜室３の内箱高さとなり、野菜室３の上段野菜容器１４と下段野菜容器１３の大容量化と収納底面積の拡大を可能とすると共に、野菜室３の野菜引出扉７の上面の高さを日本人成人女性の平均身長の約１５６センチを基に算定した野菜引出扉７の高さ上限値である９３センチ以下に抑えた設定にすることを可能としている。
【００３７】
冷蔵室２においては、機械室１８を形成する圧縮機１７などを使い勝手の良くない天井面、若しくは冷蔵庫本体１の背面上部に設置した形態としている。従って、機械室１８の移動に伴い冷凍室４および野菜室３の高さが機械室１８の体積を冷蔵庫本体１の断面積で除した商となる高さ分だけ低くなることから、冷蔵室２の容積を一定とすると必然的に冷蔵室２の内箱を形成する底面が下げられ、冷蔵室２の収納部が全体的により使いやすい高さとして構成されている。
【００３８】
また、収納食品の出し入れがしにくかった冷蔵室２の最上段の棚奥の領域も機械室１８として有効に活用できる形態とすることができる。冷蔵室２の扉側に設けられたポケット１１の収納領域も、冷蔵室２と野菜室３の区画壁を構成する仕切部が下げられる分だけ下側に拡大できることになり、飲料や調味料などの増加に対処しきれなかったボトル類への対応も緩和された形態となっている。
【００３９】
図４は、機械室１８を構成する圧縮機１７などの構成部材を小形化した時の実施例で、機械室１８を必要最小限のスペースとして冷蔵庫本体１側の棚１２最上段の背面後部領域のみとし、冷蔵室２の棚１２の収納部を更に拡大した実施例である。
【００４０】
図５は、年代別に見た日本人女性の平均身長を示した図であり、図６は、図４の本発明による実施例として提示した収納部の配置と日本人成人女性の平均身長による人体寸法との位置関係を示した図である。
【００４１】
上記の実施例によれば、上から冷蔵室、野菜室、冷凍室とした冷蔵庫本体に機械室を冷蔵室の天井面、若しくは冷蔵庫本体の背面上方に設置する構成としたことによって、冷凍室を広さ感に優れた使いやすい上段冷凍容器と下段冷凍容器から成る形態とすることができ、野菜室においては、同様に広さ感に優れた使いやすい上段野菜容器と下段野菜容器から成る形態とすることができる。
【００４２】
更に、野菜室においては、野菜引出扉の上面の高さを床上から９３センチ以下の低い位置に設定できることから、二重の使い勝手改善効果が得られる。冷蔵室においては、本体側収納部を形成する棚の最上段奥あるいは上から２段目の棚奥の領域に、機械室を設置したことで、日本人成人女性の作業域内にすべての棚が配置された使い勝手に優れる構成にすることができる。
【００４３】
また、冷蔵回転扉に設けられたポケットの収納領域の拡大が図れることから、飲料や調味料の収納量拡大ニーズに対処した形態の実現が可能となり、ボトル類の収納場所不足の不満を緩和できる収納形態の構築ができるものである。
【図面の簡単な説明】
【００４４】
【図１】本発明による一実施例の４枚扉構成の冷蔵庫断面図。
【図２】本発明による一実施例の３枚扉構成の冷蔵庫断面図。
【図３】本発明による一実施例の冷却ユニットの斜視図。
【図４】機械室を小形化した時の本発明による一実施例の冷蔵庫断面図。
【図５】年代別に見た日本人女性の平均身長を示す図。
【図６】本発明による一実施例の冷蔵庫の収納部と人体寸法の位置関係図。
【図７】従来例となる機械室と冷却ユニットが上下配置の４枚扉構成の冷蔵庫断面図。
【図８】従来例となる機械室と冷却ユニットが上下配置の３枚扉構成の冷蔵庫断面図。
【図９】従来例となる機械室と冷却ユニットが前後配置の４枚扉構成の冷蔵庫断面図。
【図１０】従来例となる機械室と冷却ユニットが前後配置の３枚扉構成の冷蔵庫断面図。
【符号の説明】
【００４５】
１・・・冷蔵庫本体、２・・・冷蔵室、３・・・野菜室、４・・・冷凍室、５・・・ヒンジ機構、６・・・冷蔵回転扉、７・・・野菜引出扉、８・・・冷凍引出扉、９・・・上段冷凍扉、１０・・・下段冷凍扉、１１・・・ポケット、１２・・・棚、１３・・・下段野菜容器、１４・・・上段野菜容器、１５・・・下段冷凍容器、１６・・・上段冷凍容器、１７・・・圧縮機、１８・・・機械室、１９・・・冷却ユニット、２０・・・冷却器、２１・・・ファン駆動用モーター、２２・・・強制通風用ファン、２３・・・冷気風路、２４・・・冷気量調節用ダンパー、２５・・・除霜用管ヒーター、２６・・・除霜水用樋。
【図１】
2006046905.tif 000003
【図２】
2006046905.tif 000004
【図３】
2006046905.tif 000005
【図４】
2006046905.tif 000006
【図５】
2006046905.tif 000007
【図６】
2006046905.tif 000008
【図７】
2006046905.tif 000009
【図８】
2006046905.tif 000010
【図９】
2006046905.tif 000011
【図１０】
2006046905.tif 000012